(57)【特許請求の範囲】
【請求項１】
ＧＰＳ受信用アンテナにより受信されたＧＰＳ信号と、放送受信用アンテナにより受信された放送信号との合成信号が伝送される伝送路に設けられ、前記ＧＰＳ信号と前記放送信号とを分波する分波手段と、
前記分波された放送信号を増幅し、受信手段接続端子に供給する放送信号増幅手段と、
前記分波されたＧＰＳ信号を増幅してＧＰＳ信号再送信アンテナに供給するＧＰＳ信号増幅手段とを、
具備し、前記ＧＰＳ信号増幅手段は、前記ＧＰＳ信号再送信アンテナからの送信出力が所定レベルとなるように自動利得制御されるブースタ。
【請求項２】
電波遮断体の外部のそれぞれ異なる位置に設けられた複数のＧＰＳ受信用アンテナで受信したＧＰＳ信号を互いに異なる周波数に周波数変換された周波数変換ＧＰＳ信号と、放送受信用アンテナにより受信された放送信号とが、合成された合成信号が伝送路を介して前記電波遮断体内の前記各ＧＰＳ受信用アンテナに対応して、設置されている複数のＧＰＳ信号再送信アンテナまで伝送され、これらの位置において前記合成信号中の前記各周波数変換ＧＰＳ信号のうち、当該位置に対応する前記ＧＰＳ受信用アンテナで受信されたＧＰＳ信号に対応する周波数変換ＧＰＳ信号を再周波数変換した再周波数変換ＧＰＳ信号と、前記放送信号とを、分波する分波手段と、
前記分波された放送信号を増幅し、受信手段接続端子に供給する放送信号増幅手段と、
前記分波された再周波数変換ＧＰＳ信号を増幅して対応する前記ＧＰＳ信号再送信アンテナに供給するＧＰＳ信号増幅手段とを、
具備し、前記ＧＰＳ信号増幅手段は、前記対応するＧＰＳ信号再送信アンテナからの送信出力が所定レベルとなるように自動利得制御されるブースタ。
【発明の詳細な説明】
【技術分野】
【０００１】
本発明は、ＧＰＳ信号が内部に到来しにくい電波遮断体内でもＧＰＳ信号の受信を可能にするＧＰＳ信号伝送システムにおいて使用するブースタに関する。
【背景技術】
【０００２】
上述したシステムとしては、例えば特許文献１に開示されているものがある。この文献１に開示されている技術では、１台のＧＰＳ信号アンテナで受信したＧＰＳ信号とＢＳ放送信号とを合成して、伝送路に伝送する。伝送路に設けた分配器によってＢＳ放送信号とＧＰＳ信号とに分けられる。ＢＳ信号は分配器からＢＳチューナに供給される。分配器からのＧＰＳ信号を受けるためにターミナルが設けられ、ターミナルから出力されるＧＰＳ信号が発信器に供給され、発信される。
【０００３】
【特許文献１】特開２００５−２４４６２５号公報
【発明の開示】
【発明が解決しようとする課題】
【０００４】
特許文献１に開示されている技術を利用して、例えばＧＰＳ信号アンテナをビルの屋上に設置し、発信器をビルの内部に設置すれば、電波が到来しにくいビル内においてもＧＰＳ信号を受信することができる。従って、ビル内においてＧＰＳ受信機を用いてＧＰＳ信号を受信することによって、ＧＰＳ受信機の使用者は、ビルの位置を知ることができる。ところで、伝送路を伝送されてきたＢＳ放送信号は、ＢＳチューナに供給する前に増幅することが望ましい場合がある。また、ＧＰＳ信号を発信する場合、そのレベルを予め定めたレベルに維持しておくことが望ましいことがある。これらの点について、特許文献１では考慮されていない。
【０００５】
本発明は、放送信号及びＧＰＳ信号を適切なレベルに１台で増幅できるブースタを提供することを目的とする。
【課題を解決するための手段】
【０００６】
本発明の一態様のブースタは、ＧＰＳ受信アンテナにより受信されたＧＰＳ信号と、放送受信アンテナにより受信された放送信号との合成信号が伝送される伝送路に設けられた分波手段を有している。分波手段は、伝送路中に設けることが望ましい。分波手段は、ＧＰＳ信号と放送信号とを分波する。分波された放送信号が放送信号増幅手段によって増幅され、受信手段接続端子に供給される。分波されたＧＰＳ信号がＧＰＳ信号増幅手段で増幅され、ＧＰＳ信号再送信アンテナに供給される。ＧＰＳ信号増幅手段は、ＧＰＳ信号再送信アンテナからの送信出力が所定レベルとなるように自動利得制御される。
【０００７】
このように構成されたブースタでは、放送信号が放送信号増幅手段によって増幅され、受信手段接続端子に供給されるので、受信手段には、適切なレベルの放送信号が供給される。更に、ＧＰＳ信号は、自動利得制御されるＧＰＳ信号増幅手段で増幅され、ＧＰＳ信号再送信アンテナに供給されるので、必要とされるレベルでＧＰＳ信号を再送信することができる。
【０００８】
本発明の他の態様のブースタは、伝送路に設けた分波手段を有している。伝送路には、電波遮断体、例えばビルや地下鉄や地下街の外部のそれぞれ異なる位置に設けられた複数のＧＰＳ受信用アンテナで受信したＧＰＳ信号を互いに異なる周波数に周波数変換された周波数変換ＧＰＳ信号と、放送受信用アンテナにより受信された放送信号とが、合成された合成信号が伝送される。この伝送路は、前記各ＧＰＳ受信用アンテナに対応する電波遮断体内の位置にまで敷設されている。これら各位置には、複数のＧＰＳ信号再送信アンテナが設置されている。これらの位置において、分波手段は、合成信号中の前記各周波数変換ＧＰＳ信号のうち、当該位置に対応する前記ＧＰＳ受信用アンテナで受信されたＧＰＳ信号に対応する周波数変換ＧＰＳ信号を再周波数変換した再周波数変換ＧＰＳ信号と、前記放送信号とを、分波する。分波された放送信号は、放送信号増幅手段で増幅され、受信手段接続端子に供給される。分波された再周波数変換ＧＰＳ信号をＧＰＳ信号増幅手段が増幅して対応する前記ＧＰＳ信号再送信アンテナに供給する。ＧＰＳ信号増幅手段は、前記対応するＧＰＳ信号再送信アンテナからの送信出力が所定レベルとなるように自動利得制御される。
【０００９】
電波遮断体の外部の複数の位置に設けられたＧＰＳ受信用アンテナによって受信されたＧＰＳ信号が、電波遮断体内におけるＧＰＳ受信用アンテナに対応する再送信アンテナによって再送信される。この再送信の際に、本発明の他の態様のブースタによって、ＧＰＳ信号再送信アンテナからの送信出力が所定レベルとなるように再送信用のＧＰＳ信号が自動利得制御されて、送信される。更に、放送信号も適切なレベルに増幅されて、受信手段に供給される。
【発明の効果】
【００１０】
以上のように、本発明によれば、放送信号及びＧＰＳ信号を１台のブースタでありながら、適切なレベルに増幅することができ、コストを低減することができる。
【発明を実施するための最良の形態】
【００１１】
本発明の第１の実施形態のＧＰＳ信号伝送システムは、図１（ａ）乃至（ｃ）に示すように、内部では直接に電波を受信しにくい電波遮断体、例えばビル２の外部、例えば屋上２Ｒに、複数、例えば８基のＧＰＳ受信アンテナ４ａ乃至４ｈが配置されている。これらＧＰＳ受信アンテナ４ａ乃至４ｈは、それぞれ異なる位置に配置されている。このビル２内の各階の天井には、それぞれＧＰＳ再送信アンテナ６ａ乃至６ｈが配置されている。これらＧＰＳ再送信アンテナ６ａ乃至６ｈは、ＧＰＳ受信アンテナ４ａ乃至４ｈとそれぞれ対応する位置に配置されている。即ち、各ＧＰＳ再送信アンテナ６ａは、ＧＰＳ受信アンテナ４ａと同じ緯度、経度の位置に配置され、各ＧＰＳ再送信アンテナ６ｂは、ＧＰＳ受信アンテナ６ｂと同じ緯度、経度の位置に配置されている。他のＧＰＳ再送信アンテナ６ｃ乃至６ｈも同様である。
【００１２】
各ＧＰＳ受信アンテナ４ａ乃至４ｈで受信されたＧＰＳ信号を、対応するＧＰＳ再送信アンテナ６ａ乃至６ｈから送信すると、例えばＧＰＳ受信アンテナ４ａで受信したＧＰＳ信号を各ＧＰＳ再送信アンテナ６ａから、・・・・ＧＰＳアンテナ４ｈで受信したＧＰＳ信号を各ＧＰＳ再送信アンテナ６ｈから再送信すると、ビル２の各階においてＧＰＳ受信機（図示せず）の携帯者は、ＧＰＳ再送信アンテナ６ａ乃至６ｈのいずれかが再送信しているＧＰＳ信号を受信しているかによって、ビル２のいずれの位置に携帯者が位置しているかを知ることができる。
【００１３】
しかし、各ＧＰＳ受信アンテナ４ａ乃至４ｈで受信するＧＰＳ信号は、図２に示すように同じ周波数、例えば１．５７５４２ＧＨｚである。従って、単に各ＧＰＳ受信アンテナ４ａ乃至４ｈで受信したＧＰＳ信号をそのまま各ＧＰＳ再送信アンテナ６ａ乃至６ｈに伝送して、各再送信アンテナ６ａ乃至６ｈから再送信しても、ＧＰＳ受信機では、その位置を知ることはできない。各ＧＰＳ受信アンテナ４ａ乃至４ｈと各ＧＰＳ再送信アンテナ６ａ乃至６ｈを個別の伝送路で接続すれば、ＧＰＳ受信アンテナ４ａの受信信号は、ＧＰＳ再送信アンテナ６ａから、・・・ＧＰＳ受信アンテナ４ｈの受信信号は、ＧＰＳ再送信アンテナ６ｈから確実に再送信されるので、上記の問題は解消される。しかし、８系統もの伝送路を別々に各階に敷設する作業は非常に面倒になる。
【００１４】
そこで、各ＧＰＳ受信アンテナ４ａ乃至４ｈで受信した各ＧＰＳ信号を、図２に示すようにそれぞれ異なる周波数の周波数変換ＧＰＳ信号、例えばＧＰＳ変換信号に周波数変換し、これらＧＰＳ変換信号を各階に１系統の伝送路を介して伝送する。各ＧＰＳ再送信アンテナ６ａ乃至６ｈでは、自己に対応するＧＰＳ変換信号を選択し、これを元のＧＰＳ信号と同じ周波数に再周波数変換し、再送信している。
【００１５】
そのため、図３に示すヘッド装置において、各ＧＰＳ受信アンテナ４ａ乃至４ｈには、第１周波数変換手段、例えばダウンコンバータ８ａ乃至８ｈが設けられ、対応するＧＰＳ受信アンテナが受信したＧＰＳ信号をＧＰＳ変換信号に周波数変換している。これらダウンコンバータ８ａ乃至８ｈからの各ＧＰＳ変換信号は、合成手段、例えば合成器１０によって合成され、例えば同軸ケーブルによって構成された１系統の伝送路１２に伝送される。
【００１６】
伝送路１２としては、テレビジョン共同受信システムにおいて使用するものを利用している。これによって、テレビジョン共同受信システム用の伝送路と別に伝送路を敷設する必要がなくなる。従って、放送信号、例えばＵＨＦテレビジョン放送受信用アンテナ１４で受信したＵＨＦテレビジョン放送信号、ＶＨＦテレビジョン放送受信用アンテナ１６で受信したＶＨＦテレビジョン放送信号及びＢＳ衛星放送受信用アンテナ１８で受信し、周波数変換された衛星放送中間周波信号が混合器２０で混合され、更に増幅器２２で増幅されたものも、混合器２４によって伝送路１２に混合されている。
【００１７】
なお、このように共同受信システムの伝送路１２を使用するので、ＧＰＳ変換信号の周波数帯としては、共同受信システムの伝送路１２で伝送可能な周波数帯、例えば図２に示すようにＵＨＦテレビジョン放送周波数帯と衛星放送中間周波数帯との間の空き周波数帯を使用している。また、このような空き周波数帯を利用しているので、各ＧＰＳ変換信号の周波数は、比較的接近している。
【００１８】
伝送路１２を伝送された各放送信号とＧＰＳ変換信号とは、図４に示すように、各階において分岐手段、例えば１分岐器２６によって分岐され、分配手段、例えば８分配器２８によって各再送信アンテナ６ａ乃至６ｈに対応するように分配され、それぞれ各ＧＰＳ再送信アンテナ６ａ乃至６ｈに対応する第２周波数変換手段、例えばアップコンバータ３０ａ乃至３０ｈに供給される。アップコンバータ３０ａは再送信アンテナ６ａに、・・・アップコンバータ３０ｈは再送信アンテナ６ｈに対応している。アップコンバータ３０ａ乃至３０ｈは、供給された各ＧＰＳ変換信号のうち、対応するもの、例えばアンプコンバータ３０ａは、供給された各ＧＰＳ変換信号のうちＧＰＳ受信アンテナ４ａで受信されたＧＰＳ信号に対応するＧＰＳ変換信号を選択し、元のＧＰＳ信号に再変換する。この再変換されたＧＰＳ信号を再変換ＧＰＳ信号と称する。なお、各アップコンバータ３０ａ乃至３０ｈは、各放送信号をスルーさせる。
【００１９】
各アップコンバータ３０ａ乃至３０ｈからの再変換ＧＰＳ信号と放送信号とは、ブースタ３２ａ乃至３２ｈでそれぞれ増幅され、再変換ＧＰＳ信号は、対応するＧＰＳ再送信アンテナから再送信される。例えばアップコンバータ３０ａからの再変換ＧＰＳ信号は、ブースタ３２で増幅された後、再送信アンテナ６ａから再送信される。また、ブースタ３２から各放送信号が出力され、受信手段、例えばテレビジョン受信機やＢＳチューナに供給される。
【００２０】
各ダウンコンバータ８ａ乃至８ｈでは、図５及び図６に示すように、入力端子３２から入力されたＧＰＳ信号は、例えば３段の増幅器３４ａ乃至３４ｃで増幅される。これら増幅器３４ａ乃至３４ｃの間に、ＧＰＳ信号を抽出するフィルタ、例えばＳＡＷフィルタ３６ａ、３６ｂが挿入され、不要な信号が除去されている。最終段の増幅器３４ｃの出力信号が、ミキサ３８に供給される。ミキサ３８には、局部発振信号も供給されている。ミキサ３８は、入力されたＧＰＳ信号を所定のＧＰＳ変換信号に局部発振信号を利用して、周波数変換し、フィルタ、例えばバンドパスフィルタ４０によって不要な信号が除去された後、レベル調整器４２を間に設けた増幅器４４、４６で増幅され、出力端子４８から出力される。
【００２１】
ミキサ３８において周波数変換するためには、局部発振信号が必要である。この局部発振信号を発生するために、局部発振手段として、いわゆるＰＬＬ発振回路を使用している。即ち、局部発振信号を発生する電圧制御発振器５０と、この局部発振信号を１／ｎに分周する分周器５２と、この分周器５２の分周信号を、分周器５４の分周信号に一致するように電圧制御発振器５０の発振周波数を制御するＰＬＬ回路５６とが設けられている。分周器５４は、基準信号を１／Ｎに分周している。そして、分周器５２の分周数ｎを適切に選択すれば、必要とされる局部発振信号を電圧制御発振器５０が発生する。
【００２２】
ところで、ＰＬＬ発振回路では、局部発振信号を発生する周波数基準として基準信号が必要であるが、各ダウンコンバータ８ａ乃至８ｈで個別に生成した基準信号を使用していると、ダウンコンバータ８ａ乃至８ｈの各基準信号にずれが生じる可能性がある。各ダウンコンバータ８ａ乃至８ｈのＧＰＳ変換信号の周波数は接近しているので、最悪の場合、これらＧＰＳ変換信号の周波数が一部で重複する可能性がある。これを避けるために、全てのダウンコンバータ８ａ乃至８ｈが共通の基準信号を使用する必要がある。
【００２３】
そこで、この実施形態では、図５に示すようにダウンコンバータ８ａのみに基準信号を発生する基準発振器５８を設け、この基準信号のみを通過させるフィルタ、例えばバンドパスフィルタ６０に基準信号を通過させ、増幅器６２で増幅した後、合成手段、例えば合成器６４で、ＧＰＳ変換信号と合成して、出力端子４８に供給する。
【００２４】
この基準信号とＧＰＳ変換信号とは、図７に示すように合成器１０に供給される。合成器１０は、２分配器６４を有し、その一方の分配信号は、分波器６６を介して双方向の分配器６８に供給され、各ダウンコンバータ８ｂ乃至８ｈに供給される。
【００２５】
各ダウンコンバータ８ｂ乃至８ｈでは、図６に示すように、出力端子４８に分配器６８から供給された基準信号とＧＰＳ変換信号とが、１分岐器７０の分岐端子から出力端子を介して増幅器７２に供給されて増幅され、フィルタ、例えばバンドパスフィルタ７４で基準信号のみが抽出されて、分周器５４に供給される。従って、各ダウンコンバータ８ａ乃至８ｈは、ダウンコンバータ８ａの基準発振器５８の基準信号を共通に使用している。従って、各ダウンコンバータ８ａ乃至８ｈからのＧＰＳ変換信号の周波数は、重なり合うことがなく、所定の周波数関係を維持している。
【００２６】
各ダウンコンバータ８ｂ乃至８ｈからのＧＰＳ変換信号は、図７に示す分配器６８、１分岐器６６の分岐端子から出力端子を介して合成器７６に供給され、２分配器６４からの分配出力であるダウンコンバータ８ａからのＧＰＳ変換信号及び基準信号と合成され、合成器２４に供給される。即ち、各ダウンコンバータ８ａ乃至８ｈのＧＰＳ変換信号と共に、基準信号も、伝送路１２に伝送される。従って、基準信号は、伝送路１２で伝送可能なように、図２に示すように、例えばＶＨＦテレビジョン放送周波数帯より低い周波数に、この実施形態では選択されている。
【００２７】
図８に示すように、各アップコンバータ３０ａ乃至３０ｈでは、各ＧＰＳ変換信号、基準信号及び各放送信号が、入力端子７８に供給され、これらは２分配器８０に供給される。
【００２８】
２分配器８０の一方の分配出力は、１分岐器８２に供給され、その出力は各ＧＰＳ変換信号のうち、対応する１波のＧＰＳ変換信号を抽出するフィルタ、例えばバンドパスフィルタ８４に供給される。例えばアップコンバータ３０ａは、ＧＰＳ受信アンテナ４ａで受信されたＧＰＳ信号をダウンコンバータ８ａで周波数変換したＧＰＳ変換信号が抽出される。このバンドパスフィルタ８４から抽出された１波のＧＰＳ変換信号は、レベル調整器８６を介して増幅器８８に供給され、ここで増幅され、ミキサ９０に供給される。
【００２９】
一方、１分岐器８２の分岐出力は、基準信号を抽出するフィルタ、例えばバンドパスフィルタ９２に供給される。このバンドパスフィルタ９２で抽出された基準信号は、増幅器９４で増幅され、局部発振手段の分周器９６に供給され、１／Ｎ分周される。この分周信号がＰＬＬ回路９８に供給され、ＰＬＬ回路９８が、局部発振信号を発生する電圧制御発振器１００の発振周波数を制御する。この制御は、局部発振信号を１／ｎ１に分周する分周器１０２の分周信号が分周器９６の分周信号に一致するように行われる。分周器１０２の分周数ｎ１を適切に選択することによって、ミキサ９０に供給されているＧＰＳ変換信号を元のＧＰＳ信号と同じ周波数に再周波数変換するのに必要な周波数に、局部発振信号の周波数を維持することができる。しかも、各アップコンバータ３０ａ乃至３０ｈでは、ダウンコンバータ８ａで発生させ、他のダウンコンバータ８ｂ乃至８ｈでも使用している基準信号を使用しているので、再周波数変換された各ＧＰＳ信号の周波数は、元になったＧＰＳ信号と完全に同一になる。
【００３０】
ミキサ９０から出力された再変換ＧＰＳ信号は、不要な信号を除去するフィルタ、例えばＳＡＷフィルタ１０４、１０６を入力側及び出力側に有する増幅器１０８によって増幅される。後段のＳＡＷフィルタ１０６の出力信号は１分岐器１１０によって分岐され、その分岐出力は検波回路１１２に供給され、レベル検出が行われ、このレベルが予め定めた値になるようにレベル調整器８６のレベルが調整される。即ち、自動利得制御が行われている。
【００３１】
一方、分配器８０の他方の分配出力は、各放送信号を抽出するフィルタ、例えばバンドパスフィルタ１１４に供給される。バンドパスフィルタ１１４からの各放送信号は、増幅器１１６で増幅された後、合成器１１８において１分岐器１１０の出力（再変換ＧＰＳ信号）と合成され、出力端子１２０に供給され、ブースタ３２ａ乃至３２ｈのうち対応するものに供給される。
【００３２】
各アップコンバータ３０ａ乃至３０ｈの出力信号、即ち再変換ＧＰＳ信号と各放送信号とは、図９に示すように、ブースタ３２ａ乃至３２ｈの入力端子１２２に供給され、２分配器１２４によって２分配される。この２分配器１２４の一方の分配出力は、各放送信号を抽出するフィルタ、例えばバンドパスフィルタ１２６に供給される。バンドパスフィルタ１２６から出力された各放送信号は、複数段、例えば３段の増幅器１２８ａ乃至１２８ｃによって増幅され、出力端子１３０から受信手段、例えばＢＳチューナ、テレビジョン受信機に供給される。このように増幅器１２８ａ乃至１２８ｃによって各放送信号は増幅されているので、伝送路１２を伝送中に減衰したとしても、ＢＳチューナ、テレビジョン受信機には適切なレベルで各放送信号が供給される。
【００３３】
２分配器１２４の他方の分配出力は、再変換ＧＰＳ信号を抽出するフィルタ、例えばバンドパスフィルタ１３２に供給される。バンドパスフィルタ１３２によって抽出された再変換ＧＰＳ信号は、途中にレベル調整器１３４を有する３段の増幅器１３６ａ、１３６ｂ、１３６ｃの入力側に供給され、増幅される。３段の増幅器１３６ａ乃至１３６ｃの中間段の増幅器１３６ｂの出力の一部が１分岐器１３８によって分岐され、その分岐出力が検波器１４０に供給される。検波器１４０では、分岐出力のレベルを検出し、これが予め定めたレベルとなるようにレベル調整器１３４が検波器１４０の出力信号によって調整される。即ち、自動利得制御が行われている。最終段の増幅器１３６ｃの出力信号が出力端子１４２を介して、再送信アンテナ６ａ乃至６ｈのうち対応するものに供給される。
【００３４】
このようにブースタ３２ａ乃至３２ｈ、アップコンバータ３０ａ乃至３０ｈにおいて、再変換ＧＰＳ信号の自動レベル調整を行っているのは、ＧＰＳ再送信アンテナ６ａ乃至６ｈからの送信出力を、電波法施行規則に定められた出力電力以下の微弱電波として、免許不要で使用できるようにするためである。
【００３５】
バンドパスフィルタ１２６、１３２が放送信号とＧＰＳ信号とを分波する分波手段として機能する。
【００３６】
本発明の第２の実施形態を図１０に示す。この実施形態では、伝送路の幹線が光伝送路１２ａとされている。そのため、図３に示すダウンコンバータ８ａ乃至８ｈ、合成器１０、混合器２０、２４及び増幅器２２からなるヘッド装置１４２からの各放送信号、各ＧＰＳ変換信号及び基準信号を、電気−光変換手段、例えば光送信機１４４によって光信号に変換し、光伝送路１２ａに伝送する。光伝送路１２ａの各階に対応する位置にある光分岐器２６ａ、２６ａ・・・によって光信号が分岐される。分岐された光信号は、光−電気変換手段、例えば光受信機１４６、１４６・・・によって電気信号、即ち、各放送信号、各ＧＰＳ変換信号及び基準信号に変換され、分配器２８、２８・・・に供給される。以下、第１の実施の形態と同様に処理される。
【００３７】
このように、各放送信号、各ＧＰＳ変換信号及び基準信号を光信号に変換して、この光信号を光伝送路１２ａによって各階に伝送しているので、高層ビル等の長距離伝送が可能となり、また信頼性が向上する。
【００３８】
上記の両実施形態では、ＧＰＳ受信アンテナ及びＧＰＳ再送信アンテナは、共に８台としたが、その台数は２台以上であれば、任意に変更することができる。その場合、ダウンコンバータ及びアップコンバータの台数も、両アンテナの台数に応じて増減される。上記の両実施形態では、各ＧＰＳ変換信号の周波数帯をＵＨＦ帯と衛星放送中間周波信号の周波数帯との間に設定したが、伝送路１２で伝送可能な周波数帯であれば、任意の周波数帯とすることができる。また、上記の両実施形態では、テレビジョン共同受信システムの伝送路を、ＧＰＳ変換信号の伝送路として使用したが、これに限ったものではなく、例えばＧＰＳ信号変換信号専用の伝送路を敷設することも可能である。上記の両実施形態では、電波遮断体として、ビルを使用したが、これに限ったものではなく、例えば地下鉄の構内、地下街、トンネル内などの電波を直接に受信しにくい領域であれば、任意のものを電波遮断体として使用することができる。上記の各実施形態では、放送信号に衛星放送中間周波信号を含めたが、これに代えて、或いはこれに加えて、衛星通信信号を衛星通信受信アンテナで受信し、衛星通信中間周波信号に変換したものを使用することもできるし、共同受信システムにおける自主放送信号も、前記放送信号に含めることもできる。また、上記の実施の形態では、複数のＧＰＳ受信アンテナで受信したＧＰＳ信号をそれぞれ周波数変換して、対応するＧＰＳ再送信アンテナまで伝送し、そこで、元のＧＰＳ信号に再周波数変換したが、例えば１台のＧＰＳ受信アンテナで受信したＧＰＳ信号を放送信号と共に伝送路で伝送し、伝送路から分岐した位置に、本発明によるブースタを設置し、放送信号を増幅して、テレビジョン受信機等に供給し、ＧＰＳ信号を増幅してＧＰＳ再送信アンテナに供給する場合にも使用することができる。
【図面の簡単な説明】
【００３９】
【図１】本発明の第１の実施形態のブースタが使用されるＧＰＳ信号伝送システムのＧＰＳ受信アンテナとＧＰＳ再送信アンテナの配置を示す図である。
【図２】図１のＧＰＳ信号伝送システムで使用される各信号の周波数を示す図である。
【図３】図１のＧＰＳ信号伝送システムのヘッド装置のブロック図である。
【図４】図１のＧＰＳ信号伝送システムの各端末のブロック図である。
【図５】図３に示すダウンコンバータ８ａのブロック図である。
【図６】図３に示すダウンコンバータ８ｂ乃至８ｈのブロック図である。
【図７】図３に示す合成器１０のブロック図である。
【図８】図４に示すダウンコンバータ３０ａ乃至３０ｈのブロック図である。
【図９】図４に示すブースタ３２ａ乃至３２ｈのブロック図である。
【図１０】本発明の第２の実施形態のブースタが使用されるＧＰＳ信号伝送システムのブロック図である。
【符号の説明】
【００４０】
２  ビル（電波遮断体）
４ａ乃至４ｈ  ＧＰＳ受信アンテナ
６ａ乃至６ｈ  ＧＰＳ再送信アンテナ
８ａ乃至８ｈ  ダウンコンバータ（第１周波数変換手段）
１２  伝送路
３０ａ乃至３０ｈ  アップコンバータ（第２周波数変換手段）
１２８ａ乃至１２８ｃ  増幅器（放送信号増幅手段）
１３６ａ乃至１３６ｃ  増幅器（ＧＰＳ信号増幅手段）
１３４  レベル調整器（自動利得制御手段）
１４０  検波回路（自動利得制御手段）
【図１】
0004674185.tif 000002
【図２】
0004674185.tif 000003
【図３】
0004674185.tif 000004
【図４】
0004674185.tif 000005
【図５】
0004674185.tif 000006
【図６】
0004674185.tif 000007
【図７】
0004674185.tif 000008
【図８】
0004674185.tif 000009
【図９】
0004674185.tif 000010
【図１０】
0004674185.tif 000011